(57)【要約】【課題】本発明は、メンテナンスコストの上昇と利便性の低下を抑えつつ、画像読取装置に内蔵される光学エレメントの結露の発生を抑制可能な画像読取装置を提供することを目的とする。【解決手段】光源２１０から原稿に向けて光を照射して、その反射光を折り返しミラー２２１〜２２５とレンズユニット２０４とを介して光電変換素子２０３の受光面に導いて画像を読み取る構成を有する画像読取装置であって、光電変換素子２０３と折り返しミラー２２１〜２２５とレンズユニット２０４とを収容する筐体２０１と、筐体２０１よりも熱伝導性が高く、光電変換素子２０３と折り返しミラー２２１〜２２５及びレンズユニット２０４とを熱的に結合する熱伝導部材２４０とを備える。【選択図】図２
2010045577.tif 000002
【特許請求の範囲】
【請求項１】
光源から原稿に向けて光を照射して、その反射光を１以上の光学エレメントを介して光電変換素子の受光面に導いて画像を読み取る構成を有する画像読取装置であって、
少なくとも前記光電変換素子と前記光学エレメントとを収容する筐体と、
前記筐体よりも熱伝導性が高く、前記光電変換素子と少なくとも１つの光学エレメントとを熱的に結合する熱伝導部材とを備えることを特徴とする画像読取装置。
【請求項２】
前記熱伝導部材は、前記少なくとも１つの光学エレメント及び光電変換素子のそれぞれに接合されており、当該接合部のうち少なくとも一つの接合部において、前記熱伝導部材よりも柔軟な材料からなり当該接合部における光学エレメントの所定方向の変位を許容する変位許容部材を介して接合されてなることを特徴とする請求項１に記載の画像読取装置。
【請求項３】
前記熱伝導部材は、金属材料からなると共に、前記変位許容部材は、シリコーン材料からなることを特徴とする請求項２に記載の画像読取装置。
【請求項４】
前記少なくとも１つの光学エレメントは、レンズユニット及び折り返しミラーのうち少なくとも一方であることを特徴とする請求項１から３のいずれかに記載の画像読取装置。
【請求項５】
装置本体が動作していない時間の一部または全部において、前記光電変換素子に通電する給電手段を備えることを特徴とする請求項１から４のいずれかに記載の画像読取装置。
【発明の詳細な説明】
【技術分野】
【０００１】
本発明は、画像読取装置に関し、特に、当該画像読取装置内に配された光学エレメントの結露を防止する技術に関する。
【背景技術】
【０００２】
従来、画像読取装置は、一般に、上面にプラテンガラスが設けられた筐体内に、プラテンガラス上の原稿に対して光を照射する光源と、原稿からの反射光を主にプラテンガラスに平行な方向へと導く折り返しミラーと、当該ミラーにより導かれた光を集光するレンズと、この集光された光を受光して画像信号を生成するＣＣＤなどの素子が設けられている。
【０００３】
このような構成の画像読取装置において、冬の朝における使用環境のように、暖房により室温が低い状態から高い状態に急激に変化すると、折り返しミラーやレンズなどの光学エレメントの表面に結露が生じて、その結露により原稿の反射光が正常に読み取れなくなる場合がある。
このような不具合を解消するために、装置起動時に光源を点灯して、その光源から発せられる輻射熱や自然対流により光学エレメントを加熱して、光学エレメントに生じた結露を除去する画像読取装置がある(例えば、特許文献１)。
【特許文献１】特開平１０−３０８８５３号公報
【発明の開示】
【発明が解決しようとする課題】
【０００４】
しかしながら、特許文献１の画像読取装置では、装置起動時に光源の点灯を開始してから結露を除去するまでに時間を要する。
特に、レンズは、光源との距離が離れているので、当該光源からの輻射熱や対流により、一旦発生した結露を完全に除去するには多大な時間がかかり、大変使い勝手が悪い。
このような不都合を避けるために、例えば、装置が動作していない間でも、光源を点灯させて、光学エレメントの結露の発生を未然に防止することも考えられる。
【０００５】
しかしながら、本来点灯すべき画像読取時以外の期間にも強制的に点灯させることにより光源の寿命が縮まり、その交換時期が早まってメンテナンスコストが増加するという問題がある。
本発明は、上記問題点に鑑みてなされたものであって、メンテナンスコストを増加させることなく結露の発生の防止が可能な画像読取装置を提供することを目的とする。
【課題を解決するための手段】
【０００６】
上記目的を達成するため、本発明に係る画像読取装置は、光源から原稿に向けて光を照射して、その反射光を１以上の光学エレメントを介して光電変換素子の受光面に導いて画像を読み取る構成を有する画像読取装置であって、少なくとも前記光電変換素子と前記光学エレメントとを収容する筐体と、前記筐体よりも熱伝導性が高く、前記光電変換素子と少なくとも１つの光学エレメントとを熱的に結合する熱伝導部材とを備えることを特徴とする。
【発明の効果】
【０００７】
筐体よりも熱伝導性が高い熱伝導部材が、光電変換素子と光学エレメントとを熱的に結合しているので、光電変換素子から生じた熱を効率的に光学エレメントに伝えることができ、装置が動作していない夜間などに光電変換素子に通電しておくようにすれば、光学エレメントの結露の発生を未然に防止することが可能となる。
また、光電変換素子は、一般に、画像読取装置の他の部品よりも長寿命であるため、装置が動作していない時間帯に通電され続けても、装置全体のメンテナンス時期が早まることもなく、さらに、結露発生の未然の防止により、画像読取動作前に結露を除去するための待ち時間も必要ない。
【０００８】
また、前記熱伝導部材は、前記少なくとも１つの光学エレメント及び光電変換素子のそれぞれに接合されており、当該接合部のうち少なくとも一つの接合部において、前記熱伝導部材よりも柔軟な材料からなり当該接合部における光学エレメントの所定方向の変位を許容する変位許容部材を介して接合されてなることが望ましい。
これにより、熱的な結合を維持しつつ、光学エレメントにおける光軸合わせなどの微調整が可能となる。
【０００９】
また、前記熱伝導部材は、金属材料からなると共に、前記変位許容部材は、シリコーン材料からなることが望ましい。
また、前記少なくとも１つの光学エレメントは、レンズユニット及び折り返しミラーのうち少なくとも一方であることが望ましい。
また、装置本体が動作していない時間の一部または全部において、前記光電変換素子に通電する給電手段を備えることが望ましい。
【発明を実施するための最良の形態】
【００１０】
以下、本発明に係る画像読取装置の実施の形態を、ユニットスキャン方式の画像読取装置に適用した場合を例にして説明する。
このユニットスキャン方式は、光源や、レンズや折り返しミラーなどの光学エレメント、及びＣＣＤを１つの筺体内に収納してユニット化し、これを移動させて原稿を読み取る方式である。
【００１１】
図１は、画像読取装置８の概略構成を示す図である。
同図に示すように、画像読取装置８は、上面にプラテンガラス１９０が嵌め込まれた箱状の機枠１９１内に、スキャンユニット１８３、当該スキャンユニット１８３を原稿に沿って水平方向に往復移動させる駆動機構１８４、これらを制御する制御部１８９、及び電源部１８１などを収納してなる。
【００１２】
機枠１９１の上面には、プラテンガラス１９０上に載置した原稿を上方から押さえるための原稿押さえ板１９２が、機枠１９１に対して開閉可能に軸支されている。
駆動機構１８４は、スキャンユニット１８３を原稿面に平行な方向に案内するレール１８２と、ステッピングモータ１８４ａと、ステッピングモータ１８４ａの駆動軸に取着された駆動プーリ１８６、従動プーリ１８７及び、これらのプーリに巻きかけられたワイヤ１８５を有し、当該ワイヤ１８５にスキャンユニット１８３を接続することにより、スキャンユニット１８３が、駆動プーリ１８６の回転に伴いレール１８２に沿って移動するように構成されている。
【００１３】
電源部１８１は、独立した２つの電源系統である第１給電部１８１ａと第２給電部１８１ｂとからなる。
第１給電部１８１ａは、制御部１８９の指示により、モータ１８４ａ、操作パネル部１９３及び光源２１０への電力の供給するものである。
第２給電部１８１ｂは、制御部１８９に電力を供給し、また、制御部１８９の指示にもとづいて、光電変換素子２０３への電力の供給するものである。
【００１４】
操作パネル部１９３は、上記原稿押さえ板１９２上面に設けられ、電源ボタン１９３ａ、画像読み取りを開始するためのスタートキー１９３ｂ、結露防止モードボタン１９３ｃ、メッセージを表示させるための液晶表示パネル１９３ｄなどが配されている。
ここで、結露防止モードボタン１９３ｃとは、冬場などの環境温度が低い場合に、光学エレメントの結露を防止する処理を実行するためのボタンである。詳しくは後述する。
（スキャンユニット１８３の構成）
図２は、スキャンユニット１８３の構成を示す部分断面斜視図であり、図３は、その横断面図である。
【００１５】
図２に示すように、スキャンユニット１８３は、筐体２０１と、基板２０２と、当該基板２０２上に設けられた光電変換素子２０３と、レンズユニット２０４と、光源２１０と、反射板２１１,２１２と、折り返しミラー２２１,２２２,２２３,２２４及び２２５と、熱伝導部材２４０と、変位許容部材２５０,２５１,２５２,２５３,２５４及び２５５などを備えている。
【００１６】
筐体２０１は、樹脂または鉄などの材料からなる箱状のものであり、上面に開口部を有している。
光源２１０は、消費電力が、およそ２６Ｗの円筒状で長尺な冷陰極ランプである。
反射板２１１及び２１２は、光源２１０から照射された光をＺ方向に向けて反射するものである。
【００１７】
折り返しミラー２２１〜２２５は、光源２１０から原稿に向けて照射された光の反射光を、順次反射してレンズユニット２０４へと導光するＸ軸方向に長尺なミラーである。
レンズユニット２０４は、３重レンズ２０５と、レンズホルダ２０６とからなる。
なお、折り返しミラー２２１〜２２５は、それぞれその反射面の傾きの微調整が可能な角度調整機構を介して筺体２０１に保持されている。
【００１８】
これらの角度調整機構は、いずれも同様の構成であるので、ここでは、折り返しミラー２２３を支持するものを例に挙げて説明する。
角度調整機構は、矩形の基準板２３３ａ,２３３ｂと、基準板２３３ａの中央部に設けられためねじ（不図示）に螺合しているおねじ３３３ａと、基準板２３３ｂの２箇所に設けられためねじ（不図示）の一方及び他方にそれぞれ螺合しているおねじ３３３ｂ及びおねじ３３３ｃと、基準板２３３ａ及び基準板２３３ｂにそれぞれ対向するように設けられた板ばね２４３ａ及び２４３ｂとからなる。
【００１９】
同図において、図面が煩雑になるのを避けるため、折り返しミラー２２３以外に設けられた板ばねの図を省略している。
基準板２３３ａ,２３３ｂは、筐体２０１内部の側壁から突出するように設けられている。
折り返しミラー２２３は、Ｘ軸方向における両端部の表面側（反射面側）において、おねじ３３３ａ,３３３ｂ及び３３３ｃのいずれかの先端と接触して位置規制されており、また、上記両端部の背面側では、それぞれ板ばね２４３ａ及び２４３ｂの一方と接触して、両端部が上記表面側へと付勢されている。
【００２０】
本実施の形態における画像読取装置８では、スキャンユニット１８３の組み立て完了後、光軸調整のために、折り返しミラー２２１〜２２５の姿勢調整やレンズユニット２０４の位置調整を行っている。
おねじ３３３ａ,３３３ｂ及び３３３ｃは、基準板２３３ａ,２３３ｂからの突出量を調節して、上述の姿勢調整を行うためのものである。
【００２１】
３重レンズ２０５は、３枚のレンズが光軸方向に重ねられたものである。
レンズホルダ２０６は、３重レンズ２０５を保持するものであり、底部に筐体２０１の内底面と接触する２つの座部２０６ａを有している。
これらの座部２０６ａは、互いに、Ｘ軸方向において離れており、長手方向がＹ軸方向と平行するように設けられている。
【００２２】
また、それぞれの座部２０６ａには、Ｙ軸方向に沿って延びる長孔２０６ｂが設けられている。
レンズホルダ２０６は、この長孔２０６ｂを挿通するねじ２７１ａによって、筐体２０１の内底面に固定されている。
光電変換素子２０３は、消費電力が約１Ｗのライン型ＣＣＤセンサであり、受信した駆動パルスにもとづき、受光量に応じた電気信号を画像信号として制御部１８９に出力する。
【００２３】
基板２０２は、光電変換素子２０３を実装する回路基板である。
熱伝導部材２４０は、レンズユニット２０４及び折り返しミラー２２１〜２２５に光電変換素子２０３で発生する熱を伝えて、これらを加熱することによって、結露の発生を防止するものである。
より具体的には、熱伝導部材２４０は、厚さ１ｍｍ、基幹部の幅２５ｍｍの板状部材であって、筐体２０１よりも熱伝導の高い材料、例えば、銅板からなり、図３に示すように、表面の一部が光電変換素子２０３の裏面に接着されており、ここから、レンズユニット２０４及び折り返しミラー２２１〜２２５のある各場所へと延び、さらに、これらのそれぞれと変位許容部材２５０〜２５５を介して接合することによって熱的に結合している。
【００２４】
ここで、上記基幹部とは、熱伝導部材２４において、Ｙ軸方向に延びている部分であって、Ｘ軸方向における幅が狭くなっている部位のことを言う。
なお、本実施の形態における熱伝導部材２４０は、形状が複雑となっており、銅板の打ち抜きだけでは作成できないため、例えば、下部熱伝導部材２４０ａ及び上部熱伝導部材２４０ｂが接合部２４０ｃでハンダを介して接合された２ピース構造となっている。
【００２５】
また、熱伝導部材２４０は、図４に示すように、光電変換素子２０３の裏面において、Ｘ軸方向の幅が拡大されている。
これにより、光電変換素子２０３の裏面の大部分が熱伝導部材２４０に覆われ、両者間の伝熱面積が大きく確保されている。
なお、光電変換素子２０３との接合は、例えば、接着剤を介して行なわれる。
【００２６】
この接着剤は、熱伝導性の高いものが望ましいが、接着膜厚を薄くするほど熱抵抗も小さくなるので、熱伝導性がそれほど高くないものでも使用できる。
さらに、熱伝導部材２４０は、例えば、光電変換素子２０３のＸ軸方向の両端部にまで回り込んでいても構わず、要するに、光電変換素子２０３の受光面以外の面と接合して、光電変換素子２０３の熱を伝えることができれば、どこで接合されてもよい。
【００２７】
変位許容部材２５０〜２５５は、それぞれ低硬度で高熱伝導性のシリコーンゴムシートであり、その厚みは、１ｍｍとなっている。
ここで、高熱伝導性のシリコーンゴムシートとは、例えば、信越シリコーンTC-T＊Sシリーズである。
この材料は、粘着性を有しているため、変位許容部材２５０〜２５５は、折り返しミラー２２１〜２２５の裏面と熱伝導部材２４０とで挟持されるだけで、接着剤を使用しなくても、固定することができる。
【００２８】
また、変位許容部材２５０〜２５５に、高熱伝導性であって、半固化して柔軟性を有する接着剤などを用いてもよい。
（変位許容部材２５０〜２５５の機能について）
ここで、変位許容部材２５０〜２５５の機能について説明する。
図５（ａ）,（ｂ）は、レンズユニット２０４の位置調整前後での状態変化を示す断面図である。
【００２９】
３重レンズ２０５の焦点距離を調整するために、ねじ２７１ａを緩めて、レンズユニット２０４を図５（ａ）に示す状態からＹ軸方向に移動させると、熱伝導部材２４０とレンズホルダ２０６との間に介在する変位許容部材２５０が非常に柔らかく、変形し易くなっているため、図５（ｂ）に示すように、熱伝導部材２４０とレンズホルダ２０６との相対的位置が変化しても、変位許容部材２５０が密着状態を保ったまま変形し、熱的な結合状態を維持することができる。
【００３０】
また、熱伝導部材２４０と筐体２０１との熱膨張率が異なるため、温度変化によっても、レンズユニット２０４と熱伝導部材２４０との間で位置ずれが生じる場合がある。
この位置ずれは、焦点距離の調整に伴うずれの量よりも小さいので、変位許容部材２５０〜２５５により、このような温度変化による位置ずれも許容することができる。
（制御部１８９の構成）
図６は、制御部１８９とこれに関係する機能部の構成例を示す図である。
【００３１】
制御部１８９は、ＣＰＵを中心に構成され、第１給電部１８１ａ、第２給電部１８１ｂ、モータ１８４ａ、光電変換素子２０３及び光源２１０を制御し、画像読取動作を実行するものである。
同図に示すように制御部１８９は、主に、ＣＰＵ７０、インターフェース（Ｉ／Ｆ）部７１、ＲＡＭ７２、ＲＯＭ７４、ＥＥＰＲＯＭ７６、ＣＬＯＣＫ７７からなり、第１給電部１８１ａ、第２給電部１８１ｂ、モータ１８４ａと、操作パネル部１９３、光源２１０及び光電変換素子２０３などにハーネス１８８を介して電気的に接続されている。
【００３２】
インターフェース部７１は、ＬＡＮなどを介して接続された外部の端末装置とＣＰＵ７０間で通信を行うためのものであり、ＬＡＮカードやＬＡＮボード等からなる。
ＲＡＭ（Random Access Memory）７２は、揮発性のメモリであって、ＣＰＵ７０におけるプログラム実行時のワークエリアとなる。
ＥＥＰＲＯＭ（Electronically Erasable and Programmable Read Only Memory）７６は、不揮発性のメモリであって、ＣＰＵ７０におけるプログラム実行時のデータ保存エリアとなる。
【００３３】
ＣＬＯＣＫ７７は、ＣＰＵ７０の動作タイミングを示す一定周期のパルス信号を出力する。
ＲＯＭ（Read Only Memory）７４には、画像読取装置８の各部の動作を制御するプログラム、画像読取処理のプログラム及び結露防止処理のプログラム等が格納されている。
ここで、結露防止処理とは、操作パネル部１９３の電源ボタン１９３ａがＯＦＦされている間、光電変換素子２０３に給電すると共に、駆動パルスを与え、通常の読み取り動作と同じ状態にして、これよる発熱をレンズユニット２０４及び折り返しミラー２２１〜２２５に伝えて、結露を防止する処理のことである。
（結露防止処理実行時の制御動作）
図７は、制御部１８９における、当該結露防止処理時の制御内容を示すフローチャートである。
【００３４】
ＣＰＵ７０は、操作パネル部１９３の電源スイッチが押下（ＯＮ）されているかどうかを判断し、電源スイッチが押下されている場合（ステップＳ１００：ＹＥＳ）、通常の使用状態にあり、常時電力が供給されている第２給電部１８１ｂに加えて、第１給電部１８１ａに電力が供給されるようにして、通常の画像読み取り動作が実行可能な状態にし、このサブルーチンを終了して、画像読取処理を制御する不図示のメインルーチンに戻る。
【００３５】
また、操作パネル部１９３の電源ボタン１９３ａが押下（ＯＮ）されていない場合には（ステップＳ１００：ＮＯ）、ユーザが装置の周辺におらず、室温が低い可能性が高いため、操作パネル部１９３の結露防止モードボタン１９３ｃが押下されているかどうかを判断し、結露防止モードボタン１９３ｃが押下されている場合には（ステップＳ１０２：ＹＥＳ）、常時電力が供給されている第２給電部１８１ｂに加えて、第１給電部１８１ａに電力が供給されるようにして、さらに、光電変換素子２０３に駆動パルスを強制的に出力する状態にして（ステップＳ１０３）、このサブルーチンを終了して、画像読取処理を制御する不図示のメインルーチンに戻る。
【００３６】
これにより、光電変換素子２０３は、画像読取時と同様の駆動状態となり、発熱する。
なお、光電変換素子２０３から出力される画像信号は用いられないことはいうまでもない。
一方、結露防止モードボタン１９３ｃが押下されていない場合には（ステップＳ１０２：ＮＯ）、第２給電部１８１ｂへの電力供給は維持したまま、第１給電部１８１ａに電力が供給されないようにして、このサブルーチンを終了し、画像読取処理を制御する不図示のメインルーチンに戻る。
【００３７】
このように、操作パネル部１９３の電源ボタン１９３ａのＯＮ／ＯＦＦに関係なく、常時、第２給電部１８１ｂに電力が供給されていることで、操作パネル部１９３の電源ボタン１９３ａがＯＦＦされた後、しばらくして結露防止モードボタン１９３ｃが押されても、光電変換素子２０３に電力と駆動パルスが供給され、光電変換素子２０３を即座に発熱させることができる。
【００３８】
以上のように、本実施の形態の画像読取装置８では、電源ボタン１９３ａがＯＦＦされている間であっても、結露防止モードボタン１９３ｃが押下されると、光電変換素子２０３は、給電されると共に、駆動パルスも供給されて発熱するため、その熱を熱伝導部材２４０及び変位許容部材２５０〜２５５を介して、レンズユニット２０４及び折り返しミラー２２１〜２２５を加熱することができるので、結露の発生を未然に防止することができ、結露を除去するための待ち時間が生じず、利便性がよい。
【００３９】
さらに、半導体素子である光電変換素子２０３は、長寿命であり、少なくとも光源２１０やモータ１８４ａなどよりも、はるかに耐用年数が上回っているため、画像読取動作以外に通電され続けても、装置全体のメンテナンス時期が早まることもなく、メンテナンスコストが上昇することもない。
＜変形例＞
本発明は上述のような実施の形態に限られるものではなく、次のような変形例も実施することができる。
（１）上記実施の形態では、熱伝導部材２４０は、厚さ１ｍｍ、基幹部の幅２５ｍｍであるとしたが、その形状や寸法などは、これに限らず、熱が光電変換素子２０３から加熱対象にスムーズに伝達されればよく、設計条件などにより、適宜決定すればよい。
（２）また、上記実施の形態では、熱伝導部材２４０の材料を銅としたが、これに限るものではない。
【００４０】
熱伝導部材２４０の材料としては、銅やアルミニウムなどの熱伝導性の高い金属を用いることが望ましい。
（３）また、上記実施の形態では、レンズユニット及び折り返しミラーの両方が、光電変換素子と熱的に結合されていたが、レンズユニット及び折り返しミラーの一方が光電変換素子と熱的に結合されていてもよい。
【００４１】
このようにすることで、レンズユニット及び折り返しミラーの両方が、光電変換素子と熱的に結合されていなかった従来の構成よりも、結露発生の防止においてそれなりの効果を奏する。
（４）上記実施の形態では、ユニットスキャン方式の画像読取装置８について説明したが、これに限らず、例えば、図８に示すように、ミラースキャン方式の画像読取装置３００に適用してもよい。
【００４２】
ミラースキャン方式の画像読取装置３００は、光電変換素子や光学エレメントなどを内包するスキャンユニットがなく、折り返しミラーのみが駆動される点で、ユニットスキャン方式の画像読取装置８とは異なっており、それ以外は、両者とも同様の構成を有している。
より具体的には、画像読取装置３００は、ミラーユニット３１０及びミラーユニット３２０と、これらのミラーユニットをＹ軸方向に往復駆動する不図示の駆動機構と、光電変換素子３０３と、レンズユニット３０４と、熱伝導部材３４０と、変位許容部材３５０と、制御部３８９と、電源部３８１と、これらを収容する筐体３０１と、原稿押さえ板３９２などを備えている。
【００４３】
光電変換素子３０３、レンズユニット３０４、電源部３８１及び原稿押さえ板３９２は、それぞれ上記実施の形態における光電変換素子２０３、レンズユニット２０４、電源部１８１及び原稿押さえ板１９２と同様の構成である。
ミラーユニット３１０は、光源３１１と折り返しミラー３１２などからなる。
また、ミラーユニット３２０は、折り返しミラー３２１と折り返しミラー３２０などからなる。
【００４４】
ミラーユニット３１０及びミラーユニット３２０は、画像読込時に、モータなどからなる不図示の駆動機構によってＹ軸方向に駆動され、レンズユニット３０４と光電変換素子３０３は駆動されない。
このとき、ミラーユニット３１０は、筐体３０１の上面に設けられたプラテンガラス３０１ａのＹ軸方向の全域に亘って移動する。
【００４５】
一方、ミラーユニット３２０は、ミラーユニット３１０の２分の１の速度で、共に同方向へ移動するように構成されており、移動量もミラーユニット３１０の２分の１となっている。
このように、画像読込時には、ミラーユニット３１０及びミラーユニット３２０と光電変換素子３０３との距離が大きく変化するので、熱伝導部材３４０によって、光電変換素子３０３と熱的に結合できるのは、レンズユニット３０４のみとなる。
【００４６】
本変形例において、上記実施の形態と同様に、夜間のような画像読取時以外にも、光電変換素子３０３に給電すると共に、駆動パルスを与えて、光電変換素子３０３を発熱させることにより、距離が離れて光源３１１では加熱しにくいレンズユニット３０４に光電変換素子３０３から熱伝導させて、レンズユニット３０４の結露を防止することができる。
ここで、画像読取装置３００においても、ユニットスキャン方式の画像読取装置８と同様に、焦点距離の調整時に生じるレンズユニット３０４と熱伝導部材３４０との間のずれを吸収するための変位許容部材３５０が、レンズユニット３０４の上面と熱伝導部材３４０との間に挿入されている。
【００４７】
本変形例の画像読取装置３００では、折り返しミラー３１２、ミラーユニット３２０及び折り返しミラー３２１の結露を除去しようとすれば、従来と同様に光源３１１を点灯させる必要がある。
しかし、従来、結露の除去に最も時間がかかっていたのは、光源３１１から最も遠い位置にあるレンズユニット３０４であり、本変形例では、このレンズユニット３０４の結露の発生が防止されるため、光源３１１を点灯してから結露が除去されるまでの時間が短縮され、待ち時間も短くなって、利便性が向上する。
（５）また、上記変形例では、レンズユニットの上面と熱伝導部材とが、変位許容部材を介して接合されていたが、これに限らず、例えば、図９に示すように、レンズユニット４０４と光電変換素子４０３を実装した基板４０２とを固定する台座を兼ねる肉厚の下部熱伝導部材４０１ａを設け、さらに、下部熱伝導部材４０１ａと光電変換素子４０３の背面とを上部熱伝導部材４０１ｂで繋ぐ構成としてもよい。
【００４８】
ここで、下部熱伝導部材４０１ａ及び上部熱伝導部材４０１ｂは、少なくとも筐体４０５よりも熱伝導性が高い材料からなり、下部熱伝導部材４０１ａ及び上部熱伝導部材４０１ｂを合わせたものを熱伝導部材４０１という。
なお、熱伝導部材４０１の下面と外気との間で熱伝導が行われると、レンズユニット４０４を十分に加熱できない可能性が生じるが、ここでは、下部熱伝導部材４０１ａの下面側が、例えば、当該下面が不図示の別の部材などで覆われることなどにより、外気に晒されておらず、下部熱伝導部材４０１と外気との熱交換が行われにくい状態にあるものとする。
【００４９】
この場合、レンズユニット４０４は、焦点調整のためにＹ軸方向に移動させた場合であっても、レンズユニット４０４の底面が、常に下部熱伝導部材４０１ａと接触しているので、変位許容部材を下部熱伝導部材４０１ａと下部熱伝導部材４０１ａとの間に設ける必要がない。
また、同図では、下部熱伝導部材４０１ａが、筐体４０５に設けられた開口部に、筐体４０５の外側から嵌め込まれた構成となっている。
【００５０】
これにより、熱伝導部材４０１、レンズユニット４０４及び光電変換素子４０３を実装した基板４０２をモジュール化することができ、組み立て作業性が向上する。
（６）上記実施の形態および変形例では、いずれも原稿をプラテンガラス上に置き、折り返しミラーを移動させつつ、画像を読み取る移動光学系の画像読取装置について説明したが、この構成に限るものではない。
【００５１】
原稿押さえ板の代わりに、プラテンガラス上の特定の領域を通過させつつ、原稿を順次搬送する自動原稿搬送装置を設け、光源や折り返しミラーなどを移動させないで、上記特定の領域を通過する画像を読み取る構成であってもかまわない。
（７）また、上記実施の形態では、光電変換素子２０３は、ＣＣＤセンサであるとしたが、これに限らず、例えば、ＣＭＯＳセンサなどの他の光電変換素子を用いても構わない。
（８）さらに、上記実施の形態では、結露防止処理は、電源ボタン１９３ａがＯＦＦされ、かつ、結露防止モードボタン１９３ｃが押下されている場合に、光電変換素子２０３に電力と駆動パルスを供給して、光電変換素子２０３を発熱させる処理としたが、これに限らず、単に、或る時刻Ａから或る時刻Ｂまでの間、光電変換素子２０３に、強制的に電力と駆動パルスを供給して、発熱させてもよく、要するに、光電変換素子に所定の期間に亘って通電する処理であればよい。
【００５２】
また、この通電は、必ずしも電力と駆動パルスの両方を供給する必要はなく、光電変換素子２０３が少なくとも熱をもつ状況になるように通電すればよく、例えば、光電変換素子２０３への給電のみを行って、駆動パルスを送らない構成であっても、光電変換素子２０３が熱をもつのであれば、光電変換素子２０３への給電のみで結露防止処理を行う構成をとることも可能である。
（９）また、上記実施の形態では、結露防止処理を実行するために、独立した２つの電源系統を設け、その一方に電力を絶えず供給して、制御部１８９を常に機能させていたが、これに限らず、例えば、光電変換素子２０３のみに給電する第３の給電部を設けて、この第３の給電部をユーザが直接スイッチなどでＯＮ・ＯＦＦする構成にすれば、制御部１８９に電力を常に供給する必要がない。
（１０）さらに、上記実施の形態では、変位許容部材２５０〜２５５は、それぞれ低硬度で高熱伝導性のシリコーンゴムシートであるとしたが、これに限らず、例えば、熱導電性の高いフィラーが添加された柔らかな樹脂であってもよい。
（１１）上記実施の形態と上記変形例は、可能な限り組み合わせて実施することができることはいうまでもない。
（１２）上記実施の形態においては、本発明を、画像読取装置について説明したが、このような画像読取装置とプリンタが組み合わされてなる複写機などの画像形成装置においても、無論、適用が可能である。
【産業上の利用可能性】
【００５３】
本発明は、画像読取装置および画像読取装置が配設されてなる画像読取装置に広く適用することができる。
【図面の簡単な説明】
【００５４】
【図１】本発明の実施の形態に係る画像読取装置の概略構成を示す図である。
【図２】本発明の実施の形態に係るスキャンユニットの部分断面斜視図である。
【図３】本発明の実施の形態に係るスキャンユニットの横断面図である。
【図４】本発明の実施の形態に係る光電変換素子と熱伝導部材との接合状態を示す斜視図である。
【図５】（ａ）,（ｂ）は、本発明の実施の形態に係るレンズユニットの位置調整前後の状態変化を示す断面図である。
【図６】本発明の実施の形態に係る制御部の構成を示すブロック図である。
【図７】本発明の実施の形態に係る制御部で実施される結露防止処理の内容を示すフローチャートである。
【図８】本発明の実施の形態に係る画像読取装置の変形例を示す図である。
【図９】本発明の実施の形態に係る画像読取装置の変形例を示す図である。
【符号の説明】
【００５５】
８    画像読取装置
３９    原稿押さえ板
１８１    電源部
１８１ａ  給電部
１８１ｂ  給電部
１８３    スキャンユニット
１８４    駆動機構
１８９    制御部
２０３    光電変換素子
２０４    レンズユニット
２０５    ３重レンズ
２０６    レンズホルダ
２１０    光源
２１１    反射板
２２１,２２２,２２３,２２４,２２５  折り返しミラー
２４０    熱伝導部材
２４０ａ  下部熱伝導部材
２４０ｂ  上部熱伝導部材
２４０ｃ  接合部
２５０,２５１,２５２,２５３,２５４,２５５  変位許容部材
【図１】
2010045577.tif 000003
【図２】
2010045577.tif 000004
【図３】
2010045577.tif 000005
【図４】
2010045577.tif 000006
【図５】
2010045577.tif 000007
【図６】
2010045577.tif 000008
【図７】
2010045577.tif 000009
【図８】
2010045577.tif 000010
【図９】
2010045577.tif 000011